(57)【要約】【課題】地域区分により隣接設置された屋外拡声装置間の音響干渉を避けるためには、前記グループ別に同じ放送をするために操作を複数回繰り返したり、繰り返す回数分無線回線を占有する必要があった。本発明はこの欠点を解決し、自動的に時差を持たせて放送させることにより操作回数の低減、さらには無線回線を有効利用することを目的とする。【解決手段】地域区分により隣接設置された屋外拡声装置の拡声放送にグループ別に時差を持たせて放送することを可能とするため、統制局設備に時差放送信号制御部を、屋外拡声装置に録音再生装置を追加する。【選択図】　図１
2004056646.tif 000002
【特許請求の範囲】
【請求項１】
拡声内容を出力する１つ以上の屋外拡声装置を指定し、拡声内容を入力する操作卓と、該操作卓から入力された情報を制御する通信制御装置と、前記情報を送信する送受信機とを備えた統制局と、該統制局から送出される信号を受信する屋外拡声装置送受信機と、該送受信機から出力される制御信号により拡声部に起動をかけるための制御部と、該制御部に接続される拡声部と該拡声部の出力を吹鳴するスピーカとを備えた複数の屋外拡声装置を含む地域防災無線システムにおいて、前記通信制御装置に時差放送制御部を付加し、前記操作卓を操作して放送を行う際、時差コードを指定し、回線接続信号に時差コードを付加して送出し、前記屋外拡声装置の制御部において受信した時差コードを検知して前記拡声部の起動を制御することを特徴とする地域防災無線システムにおける屋外拡声装置の時差放送方式。
【請求項２】
請求項１の時差放送方式において、屋外拡声装置に録音再生装置を付加し、受信した拡声内容信号と時差コードに応じて即時拡声放送か時差拡声放送かを判断し、即時拡声放送でない場合は、拡声部を起動しないで拡声内容を前記録音再生装置に録音し、所定の時差時間経過後に拡声部を起動し、録音した内容を再生することを特徴とする屋外拡声装置の時差放送方式。
【発明の詳細な説明】
【０００１】
【発明の属する技術分野】
本発明は、市町村単位に設置される地域防災無線システムにおける屋外拡声装置の時差放送方式に関するものである。
【０００２】
【従来の技術】
図２は従来の地域防災行政無線システムの一実施例を示すブロック図である。図２において、１は統制局の信号、放送を制御する通信制御装置、２は無線回線へ放送内容の送信及び屋外拡声装置からの一般通信などの受信を行う統制局送受信機、３は統制局から手動放送の操作を行う操作卓、４は屋外拡声装置の制御を行う制御部、５は統制局からの放送内容の受信及び一般通信などの送信を行う屋外拡声装置送受信機、６は統制局からの放送内容を拡声する拡声部、７は放送内容を出力するスピーカである。
従来の方式では、地域区分により隣接設置される屋外拡声装置間の音響干渉を避けるためには設置された屋外拡声装置を２つ以上のグループに分割し、同じ内容の放送を前記グループ別に手動で複数回繰り返し放送する必要があった。
【０００３】
【発明が解決しようとする課題】
前述の従来方式では、地域区分により隣接設置された屋外拡声装置間の音響干渉を避けるためには、前記グループ別に同じ放送をするために操作を複数回繰り返したり、繰り返す回数分無線回線を占有する必要があった。本発明はこの欠点を解決し、自動的に時差を持たせて放送させることにより操作回数の低減、さらには無線回線を有効利用することを目的とする。
【０００４】
【課題を解決するための手段】
本発明は上記の目的を達成するため、地域区分により隣接設置された屋外拡声装置の拡声放送にグループ別に時差を持たせて放送することを可能とするため、統制局設備に時差放送信号制御部を、屋外拡声装置に録音再生装置を追加する。
【０００５】
【発明の実施の形態】
以下、本発明の一実施例を図１により説明する。１は統制局の通信を制御する通信制御部、２は無線回線へ放送内容の送信及び屋外拡声装置からの一般通信などの受信を行う統制局送受信機、３は統制局から手動放送の操作を行う操作卓、４は屋外拡声装置の制御を行う制御部、５は統制局からの放送内容の受信及び屋外拡声装置の一般通信などの送信を行う屋外拡声装置送受信機、６は統制局からの放送内容を拡声する拡声部、７は放送内容を出力するスピーカ、８は時差放送のための時差コードを付加するための時差放送信号制御部、９は時差コードにより拡声放送に時差を与えるかどうかの制御部の判断より放送の録音および再生をする録音再生装置である。
【０００６】
【実施例１】
システム運用者が複数の屋外拡声装置に対して拡声放送をするとき、操作卓３から放送したい複数の屋外拡声装置対応のグループスイッチを押し、送受話器をあげて拡声内容をマイク等で拡声内容信号として入力する。該拡声内容信号は通信制御装置１を経由して時差放送信号制御部８へ送られる。時差放送信号制御部８では操作卓３で指定したグループ数に基づいて時差放送回数を指定して通信制御装置１を経由して統制局送受信機２より複数の各屋外拡声装置に時差を持たせて時差の回数拡声内容信号を送信する。前記屋外拡声装置では屋外拡声装置送受信機５を介して制御部４に拡声内容信号を入力する。制御部４では、拡声部６を起動させスピーカ７より拡声内容信号を拡声放送出力する。地域区分により隣接設置された屋外拡声装置では相互に時差を持たせた拡声放送を行うことができる。以上、説明したように、複数の隣接する屋外拡声装置に対して拡声放送するとき、音響干渉防止のため時差放送を操作卓３の１回の操作のみで行うことができる。ただし、無線回線は時差の回数放送分占有する。
【０００７】
【実施例２】
システム運用者が複数の屋外拡声装置に対して拡声放送をするとき、操作卓３により放送したい複数の屋外拡声装置対応のグループスイッチを押し、送受話器をあげあげて拡声内容をマイク等で拡声内容信号として入力する。該拡声内容信号は通信制御装置１を経由して時差放送信号制御部８へ送られる。時差放送信号制御部８では操作卓３で指定したグループ数に基づいてグループ毎に時差コードを、回線接続信号に付加して拡声内容信号と共に通信制御装置１を経由して統制局送受信機２より前記屋外拡声装置に対して１回送信する。該屋外拡声装置では屋外拡声装置送受信機５を介して制御部４に前記時差コードと拡声内容信号を入力する。制御部４では受信した時差コードを検知し、時差コードに基づいて時差の順番を判断し、即時放送であれば拡声部６を起動させスピーカ７より即時放送を実施する。時差であれば、録音再生装置９に一旦録音して所定の時差時間経過後に再生し制御部４を経由し、拡声部６を起動してスピーカ７より時差放送を行う。以上の説明したように、隣接する屋外拡声装置に対して拡声放送するとき、音響干渉防止のための時差放送を操作卓３の１回の操作のみで行うことができる。さらに無線回線も１回の放送分の占有で済む。
【０００８】
【発明の効果】
本発明により、屋外拡声装置の拡声放送において時差する時差しないに係らず、統制局における操作卓の操作は１回で済む。さらに無線回線を有効活用することができる。
【図面の簡単な説明】
【図１】本発明の一実施例である地域防災行政無線システムブロック図
【図２】従来方式の一実施例である地域防災行政無線システムブロック図
【符号の説明】
１：通信制御装置、２：統制局送受信機、３：操作卓、４：制御部、５：屋外拡声装置送受信機、６：拡声部、７：スピーカ、８：時差放送信号制御部、９：録音再生装置
【図１】
2004056646.tif 000003
【図２】
2004056646.tif 000004